(57)【要約】【課題】マグネットシートに開口窓を設けたマグネットシートを重ね、その間に文字や絵などが書かれた紙や写真等を挟むことで、それらを表示できるようにしたマグネットを提供する。【解決手段】マグネットシートに、開口窓を持つマグネットシートを重ねる。２枚のマグネットシートが分離しないように、一端を接合する。その間に文字や絵などが書かれた紙や写真等を挟み、黒板やホワイトボードなどに貼って使用する。本発明は、以上の構成を特徴とする表示マグネットである。【選択図】図１
2013228569.tif 000002
【特許請求の範囲】
【請求項１】
裏板のマグネットシートに、少なくとも一つの開口窓を有する表板のマグネットシートを重ね、一端を接合した表示マグネット。
【請求項２】
中板のマグネットシートの片方の面に、少なくとも一つの開口窓を有する表板のマグネットシートを重ね、もう一方の面にも少なくとも一つの開口窓を有する裏板のマグネットシートを重ねて、表板と裏板のマグネットシートが、中板マグネットシートにそれぞれ一端で接合した表示マグネット。
【請求項３】
少なくとも一つの開口窓を有するマグネットシート上に、開口窓を遮断する透明なカバー材を設けてある請求項１、請求項２に記載の表示マグネット。
【請求項４】
カバー材が、透明なプラスチックフィルムである請求項３に記載の表示マグネット。
【請求項５】
マグネットシートを覆う化粧材を設けてある請求項１〜請求項４の何れか１項に記載の表示マグネット。
【請求項６】
マグネットシートを磁力を有する別素材に変えた、請求項１〜請求項５の何れか１項に記載の表示マグネット。
【発明の詳細な説明】
【技術分野】
【０００１】
本発明は、マグネットシートに開口窓を設けたマグネットシートを重ね、その間に文字や絵などが書かれた紙や写真等を挟むことで、それらを表示できるようにしたマグネットに関するものである。
【背景技術】
【０００２】
従来、文字や絵の表示されたマグネットを作成しようとすると、ペンでマグネットに直接書き込んだり、文字の印刷されたシールを貼ったりしていた。また、写真の表示されたマグネットを作成しようとすると、写真を粘着テープでマグネットに直接貼り付けるなどの方法が行われていた。
【発明の概要】
【発明が解決しようとする課題】
【０００３】
これは、次のような欠点があった。
（イ）、マグネットの作成は手間のかかる作業であり、職場や学校など、たくさんのマグネットを必要とする場面では、その作成に多くの時間が費やされていた。
（ロ）、文字や絵を直接書き込んだマグネットや、シールを貼ったマグネットは、その情報のマグネットが必要なくなった時、廃棄せざるを得なかった。
（ハ）、写真を貼り付けたマグネットも、写真を剥がそうとしてマグネット上に粘着面が残ったり、写真が破損したりした。
本発明は、以上のような欠点をなくすためになされたものである。
【課題を解決するための手段】
【０００４】
本発明の表示マグネットは、マグネットシートに、少なくとも一つの開口窓を持つマグネットシートを重ね、２枚のマグネットシートが分離しないように、一端を接合したものである。
【０００５】
また、表示マグネットの別の実施形態として、少なくとも一つの開口窓を持つマグネットシート２枚を、１枚のマグネットシートの表面に１枚、裏面に１枚それぞれ重ね、マグネットシートと開口窓を持つマグネットシートが分離しないように、それぞれ一端で接合した構成とすることもできる。このようにすれば、マグネットシートの両面にそれぞれ別の表示物を挟むことができ、表示マグネットを反転させるだけで、２つの異なる表示物を表示することができる。
【０００６】
本発明の表示マグネットは、マグネットシートのみからなるものとして構成してあるので、例えば、黒板やホワイトボード、金属製の家具など、マグネットの磁力によって磁着可能な材面である限り、マグネットシートの間に表示物を挟み込んだ状態で、手軽に磁着し、マグネットとして使用することが出来る。
【０００７】
また、本発明の表示マグネットは、挟み込んだ表示物が傷付いたり汚れたりすることを防止するために、少なくとも一つの開口窓を有するマグネットシート上に開口窓を遮断する透明なカバー材を設けてあるものとして構成することもできる。そして、そのカバー材としては、透明なプラスチックフィルムとすることもできる。
【０００８】
そして、以上のような表示マグネットについては、マグネットシートを覆う化粧材を備えるものとして構成すると、化粧材により表示物を演出することができるのでよい。化粧材により表示マグネットの外観が異なれば、表示物の識別を容易にすることができ、分かりやすい。また、表示マグネットの装飾性を高めることも出来る。
【発明の効果】
【０００９】
本発明の表示マグネットによれば、
（イ）、マグネットシートの間に、文字や絵などが書かれた紙や写真等を挟むだけで作成できるので、マグネットに直接、文字や絵を書き込んだり、写真を貼り付けたりする手間が省ける。
（ロ）、挟んだ表示物の情報のマグネットが必要なくなった時には、その表示物を取り出し、別の表示物と中身を入れ替えることが出来る。
（ハ）、マグネットの磁力で表示物を挟んでいるので、のりやテープでマグネットに付着した時のように、表示物が痛まない。
（二）、何度でも中身を入れ替えて使用できるので、経済的である。
【図面の簡単な説明】
【００１０】
【図１】本発明の第１実施形態による表示マグネットの外観斜視図を含む使用説明図
【図２】図１の表示マグネットの横中央断面図
【図３】本発明の第２実施形態による表示マグネットの外観斜視図
【図４】図３の表示マグネットを背面から見た外観斜視図
【図５】図３の表示マグネットの横中央断面図
【図６】本発明の第２実施形態による表示マグネットの使用説明図
【図７】本発明の第３実施形態による表示マグネットの外観斜視図
【発明を実施するための形態】
【００１１】
以下、本発明を実施するための形態について説明する。
【００１２】
１、第１実施形態；（図１及び図２）
【００１３】
図１及び図２に示すのが第１実施形態による表示マグネット１である。表示マグネット１は、平板状のマグネットシートでできている裏板２に、平板状のマグネットシートの中央部に長方形の開口窓３を有する表板４が重ねられてできている。開口窓３を形成する表板４は接合部５にて、裏板２に一端で接合している。さらに、表板４上には化粧材６が貼られている。
【００１４】
以上の構成とした表示マグネット１を用いて、表示物を表示するには、裏板２から表板４を剥がすようにして持ち上げ、その間に紙７を、開口窓３から紙７が適当に見えるように挟み、表板４を再び裏板２に重ねるだけでよい。そうすれば、表板４と裏板２との間に作用する磁力によって、表板４が裏板２に固着されて、簡単に紙７の表示されたマグネットが出来る。この状態のまま、磁力によって表示マグネット１は、金属壁８に固着することが出来る。また、この場合紙７は、表板４と裏板２の間に作用する磁力によって押圧されているため、紙７が表板４と裏板２の間から簡単に落ちることはない。この紙７が表示された表示マグネット１を使用する時は、金属壁８から裏板２を剥がすようにして表示マグネット１を持ち上げ、他の磁着可能な面に再び貼り付ければよい。なお、表示マグネット１から、紙７を取り除く場合には、表板４を裏板２から剥がし、紙７を取り出せばよい。
【００１５】
第２実施形態；（図３、図４、図５、図６）
【００１６】
図３、図４、図５、図６に示すのが本発明の第２実施形態に係る表示マグネット９である。表示マグネット９は、平板状のマグネットシートでできている中板１０の表面に、平板状のマグネットシートの中央部に長方形の開口窓１１を有する表板１２が、裏面に平板状のマグネットシートの中央部に長方形の開口窓１３を有する裏板１４が重ねられてできている。表板１２は分離しないように、接合部１５にて、中板１０に一端で接合している。裏板１４も分離しないように、接合部１６にて、中板１０に一端で接合している。さらに表板１２の上には化粧材１７が貼られている。また、裏板１４の上にも化粧材１８が貼られている。以上の構成とした表示マグネット９を用いると、表示物を表板１２と中板１０の間と、裏板１４と中板１０の間の、２箇所に挟むことができる。この構成により、表面と裏面とで別の表示物を見ることができる。
【００１７】
以上の構成とした表示マグネット９を用いて表示物を表示するには、中板１０から表板１２を剥がすようにして持ち上げ、その間に紙１９を、開口窓１１から紙１９が適当に見えるように挟み、表板１２を再び中板１０に重ねる。同様に、中板１０から裏板１４を剥がすようにして持ち上げ、その間に紙２０を、開口窓１３から紙２０が適当に見えるように挟み、裏板１４を再び中板１０に重ねる。
【００１８】
この表示マグネット９を使用する時は、表示マグネット９の裏板１４を金属壁に近づけるだけでよい。そうすれば、表示マグネット９と金属壁との間に作用する磁力によって、表示マグネット９が金属壁に固着され、表面の紙１９が表示される。裏面の紙２０を表示したいときは、金属壁に貼ったマグネットをひっくり返し、表板１２を金属壁に近づけ固着すれば、紙２０が表示される。
【００１９】
表示マグネット９について、表板１２と中板１０、裏板１４と中板１０の接合部については、接合する一端はどの位置にあってもよい。表板が中板と接合している部分と裏板が中板と接合している部分が、別の位置にあってもよい。
【００２０】
第３実施形態；（図７）
【００２１】
図７に示すのが本発明の第３実施形態に係る表示マグネット２１で、平板状のマグネットシートでできている裏板２２に、平板状のマグネットシートに長方形の開口窓２３、２４と円形の開口窓２５、２６、２７、２８、２９を有する表板３０が重ねられてできている。表板３０は裏板２２に、外周の一部分で接合している。開口窓２３、２４、２５、２６、２７、２８、２９を形成する表板３０の片面には、カバー材としての透明なセロハン製のプラスチックフィルム３１が付着してある。
【００２２】
表示マグネット２１について、カバー材であるプラスチックフィルム３１は、表板３０と化粧材３２の間に付着しているのでもよい。
【００２３】
以上のような各実施形態の表示マグネット１、９、２１については、次のように様々に変更して実施することも可能である。
【００２４】
表示マグネット１、９、２１についての全体形状や開口窓３、１１、１３、２３、２４、２５、２６、２７、２８、２９の形状は特に制限を受けるものではなく、例えば楕円形、多角形などの幾何学的図形であってもよいし、花や動物の形をしたものであってもよい。  
【００２５】
表示マグネット１、９については、開口窓３、１１、１３を形成しているマグネットシートの片面にカバー材としての透明なセロハン製のプラスチックフィルムを付着していてもよい。また、透明のセロハン製のプラスチックフィルム以外にも、例えば有色透明や、ぼかしやすかしを加えた透明のプラスチック材質のものなど、紙カバー材としてこうした様々な種類のプラスチックプレートや板ガラス等を利用しても良い。
【００２６】
さらに、表示マグネット１、９、２１については、マグネットシートの片面もしくは両面に、化粧材が貼られていてもよい。  
【００２７】
なお、上記実施形態による表示マグネット１、９、２１は、文字や絵が書かれた紙を表示することを目的としているが、そのような紙以外にも、絵はがき、切手、新聞や雑誌の切り抜き、ポスター、写真等についても勿論使用できる。また、コインや押し花、ＣＤなどの薄い平板状のもの、ボタンやビーズ、指輪などの立体物についても使用が可能である。  
【符号の説明】
【００２８】
１    表示マグネット
２    裏板
３    開口窓
４    表板
５    接合部
６    化粧材
７    紙
８    金属壁
９    表示マグネット
１０    中板
１１    開口窓
１２    表板
１３    開口窓
１４    裏板
１５    接合部
１６    接合部
１７    化粧材
１８    化粧材
１９    紙
２０    紙
２１    表示マグネット
２２    裏板
２３    開口窓
２４    開口窓
２５    開口窓
２６    開口窓
２７    開口窓
２８    開口窓
２９    開口窓
３０    表板
３１    プラスチックフィルム
３２    化粧材
３３    紙
３４    紙
３５    写真
【図１】
2013228569.tif 000003
【図２】
2013228569.tif 000004
【図３】
2013228569.tif 000005
【図４】
2013228569.tif 000006
【図５】
2013228569.tif 000007
【図６】
2013228569.tif 000008
【図７】
2013228569.tif 000009